(57)【特許請求の範囲】
【請求項１】
１つ以上のアクセスポイントを制御する制御装置で実行されるプログラムであって、
災害情報を取得すると、前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信し、
前記災害設定が有効になっているアクセスポイントを特定し、
特定したアクセスポイントの各々から、前記第２の識別子を用いて当該アクセスポイントに接続している端末の接続数を取得し、
表示要求を取得すると、当該表示要求により要求された表示方法に対応して選択した範囲の前記接続数を、前記表示要求の要求元へ提供する
処理を前記制御装置に実行させることを特徴とする表示プログラム。
【請求項２】
前記制御装置は、１つ以上のアクセスポイントのグループへの所属状況を特定するグループ情報を記憶しており、
前記提供する処理は、前記グループ情報を参照して当該グループに属するアクセスポイントから前記範囲を特定し、
特定したアクセスポイントで得られた接続数と前記グループの情報を関連付けて前記要求元に提供する
処理を前記制御装置に実行させることを特徴とする請求項１に記載の表示プログラム。
【請求項３】
前記グループ情報に記憶されたグループを選択肢として選択可能に表示する選択領域を前記要求元に表示し、
前記選択領域で選択された選択グループの情報が入力されると、前記選択グループに属するアクセスポイントでの接続数を特定し、
前記選択グループに属するアクセスポイントでの接続数を前記要求元に提供する
処理を前記制御装置に実行させることを特徴とする請求項２に記載の表示プログラム。
【請求項４】
前記災害設定が有効になっているアクセスポイントから、当該アクセスポイントでの前記接続数を複数回にわたって取得すると共に、取得した接続数を、前記接続数を取得した時刻に対応付けて記憶し、
前記接続数の時間変化を表わす表示の要求を取得すると、所定の期間の情報が表示対象として選択されたと判定し、
前記所定の期間に含まれる時刻に取得された接続数を、当該接続数が得られた時刻、および、当該接続数が得られたアクセスポイントと対応付けて前記要求元に提供する
処理を前記制御装置に実行させることを特徴とする請求項１〜３のいずれか１項に記載の表示プログラム。
【請求項５】
１つ以上のアクセスポイントを制御する制御装置であって、
災害情報を受信する受信部と、
前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信する送信部と、
前記災害設定が有効になっているアクセスポイントを特定する特定部と、
特定したアクセスポイントの各々から、前記第２の識別子を用いて当該アクセスポイントに接続している端末の接続数を取得する取得部と、
表示要求を取得すると、当該表示要求により要求された表示方法に対応して選択された範囲の前記接続数を、表示装置に表示させる表示部
を備えることを特徴とする制御装置。
【請求項６】
１つ以上のアクセスポイントを制御する制御装置が、
災害情報を取得すると、前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信し、
前記災害設定が有効になっているアクセスポイントを特定し、
特定したアクセスポイントの各々から、当該アクセスポイントに前記第２の識別子を用いて接続している端末の接続数を取得し、
表示要求を取得すると、当該表示要求により要求された表示方法に対応して選択した範囲の前記接続数を、前記表示要求の要求元へ提供する
処理を行うことを特徴とする表示方法。
【発明の詳細な説明】
【技術分野】
【０００１】
本発明は、表示プログラム、制御装置、および、表示方法に関する。
【背景技術】
【０００２】
災害が発生した場合、被災者の救助、避難誘導、避難所の運営、復旧支援などの様々な局面において、通信手段の確保が重要になる。近年、無線ＬＡＮ（Local Area Network）機能を搭載したスマートフォンやタブレットなどの移動端末が普及したことにより、災害が発生した場合の通信手段として無線ＬＡＮを活用することが期待されている。例えば、大規模災害が発生した際に、公衆無線ＬＡＮサービスを提供している事業者が無線ＬＡＮを無料開放するためのガイドラインの策定も行われている。事業者だけでなく、地方公共団体や企業などでも、災害時に無線ＬＡＮを開放することが検討されている。
【０００３】
また、近年、ソフトウェアを用いた仮想的なネットワークや、仮想的なネットワークの形成に用いられる技術であるSoftware Defined Networking（ＳＤＮ）も注目されてきている。ＳＤＮでは、ネットワークのトポロジとＱｏＳ（Quality of Service）がソフトウェアで設定される。ここで、ネットワーク中のコントローラと呼ばれる制御装置がネットワーク中に含まれている装置の通信状況を監視し、各装置の状況に応じた制御を行う。
【先行技術文献】
【特許文献】
【０００４】
【特許文献１】特開２０１４−８６８８１号公報
【非特許文献】
【０００５】
【非特許文献１】“大規模災害発生時における公衆無線ＬＡＮの無料開放に関するガイドライン第1.0版”、[online]、平成26年4月21日、無線ＬＡＮビジネス推進連絡会、［平成２６年９月１７日検索］、インターネット、<http://www.wlan-business.org/info/pdf/Wi-Fi_Free_Guideline_v1.01_20140527.pdf>
【発明の概要】
【発明が解決しようとする課題】
【０００６】
災害時には、被災者の分布などに関する統計情報を迅速かつ正確に把握することが望ましいが、正確な統計情報を得ることは極めて困難である。
【０００７】
本発明は、災害への対応として開放する無線ＬＡＮへの接続状況を情報として活用する仕組みを提供することを目的とする。
【課題を解決するための手段】
【０００８】
表示プログラムは、１つ以上のアクセスポイントを制御する制御装置で実行される。制御装置は、災害情報を取得すると、前記災害情報に基づいて、設定を変更するアクセスポイントを特定するとともに、災害設定への移行を指示する移行指示を送信する。災害設定は、当該アクセスポイントに対する設定変更により、通信を許可している第１の識別子とは異なる第２の識別子を用いた通信を許可する設定である。制御装置は、前記災害設定が有効になっているアクセスポイントを特定する。制御装置は、特定したアクセスポイントの各々から、前記第２の識別子を用いて当該アクセスポイントに接続している端末の接続数を取得する。制御装置は、表示要求を取得すると、当該表示要求により要求された表示方法に対応して選択した範囲の前記接続数を、前記表示要求の要求元へ提供する。
【発明の効果】
【０００９】
災害への対応として開放する無線ＬＡＮへの接続状況が情報として活用される。
【図面の簡単な説明】
【００１０】
【図１】接続中の人数の表示例を説明する図である。
【図２】制御装置の構成の例を示す図である。
【図３】制御装置のハードウェア構成の例を示す図である。
【図４】グループ登録の方法の例を説明する図である。
【図５】グループ登録の方法の例を説明する図である。
【図６】グループデータベースとＡＰ情報データベースの例を説明する図である。
【図７】アクセスポイントの設定の変更方法の例を示す図である。
【図８】アクセスポイントの設定の変更方法の例を示すフローチャートである。
【図９】各アクセスポイントへの接続人数を取得する方法の例を説明するシーケンス図である。
【図１０】ＡＰ情報データベースの例を説明する図である。
【図１１】管理画面の表示例を説明する図である。
【図１２Ａ】表示要求に応じて行われる処理の例を説明するシーケンス図である。
【図１２Ｂ】表示要求に応じて行われる処理の例を説明するシーケンス図である。
【図１３】アクセスポイントへの接続数の時間変化の表示例を説明する図である。
【図１４】アクセスポイントへの接続数の時間変化の表示例を説明する図である。
【図１５】ＭＡＰ表示の例を説明する図である。
【発明を実施するための形態】
【００１１】
災害が発生した際に開放するアクセスポイントを制御する制御装置は、制御対象のアクセスポイントに問い合わせを行って情報を取得することができる。そこで、例えば、制御装置が各アクセスポイントについて、接続している端末の数を問合わせ、得られた結果を、制御装置の管理画面などに表示することができる。
【００１２】
図１は、接続中の人数の表示例を説明する図である。制御装置は、災害が発生した際に開放するアクセスポイントの設置位置を地図上のアイコン１で示すことができる。図１の例では、例えば、Ａ地区、Ｂ地区、Ｃ地区、Ｄ地区の４つの地区が含まれる領域のうち、Ａ地区に、災害時に解放する対象のアクセスポイントが設置されている。なお、図１は一例であり、地図上に表示されるアイコン１の数は任意である。また、各アイコン１には、個々のアクセスポイントが対応付けられている。以下、アクセスポイントの設置位置を地図上のアイコンで示す表示のことを「ＭＡＰ表示」と記載することがある。制御装置のディスプレイにＭＡＰ表示が表示されている場合、ＭＡＰ表示中のアイコン１にマウスカーソル７を重ねると、制御装置は、アイコン１に対応する機器に問い合わせを行って情報を取得し、取得した情報をポップアップ表示する。ここで、ポップアップ表示で表示される情報は、予め、制御装置のオペレータが設定しているものとする。図１の例では、アクセスポイントの識別情報、運用状態、アクセスポイントへ接続している端末の数から推定した被災者数、アクセスポイントに接続している端末が使用しているＳＳＩＤ（Service Set Identifier）が表示されている。図１の例では、選択されたアクセスポイントは、災害の発生によって開放されている状態（緊急運用中）である。また、選択されたアクセスポイントには、「０００００ＪＡＰＡＮ」というＳＳＩＤを用いて、５台の端末が接続している。なお、「０００００ＪＡＰＡＮ」というＳＳＩＤは、災害時のアクセスポイントの無料開放に使用することがガイドラインで推奨されている災害用統一ＳＳＩＤである。
【００１３】
図１に示すシステムでは、オペレータは、アクセスポイントごとにそのアクセスポイントに対応付けられたアイコン１にマウスカーソル７を重ねて、利用状況を確認することができる。しかし、個別のアクセスポイントについてアイコン１にアクセスしたタイミングで得られた情報だけからは、被災者の支援計画などに結びつく情報を取得することは困難である。オペレータが１つのアイコンに複数回アクセスして得られた情報や、複数のアクセスポイントから得られる情報を手作業でまとめることは煩雑である上、非効率的である。さらに、開放するアクセスポイントの設定がオペレータによって手動で行われると、オペレータの処理が煩雑である上、設定変更に時間がかかるという問題もある。これらの問題は、設定変更の対象となるアクセスポイントの数が多いほど深刻化する。
【００１４】
以下、このような問題点を改善する別の実施形態について、詳しく説明する。
＜装置構成＞
図２は、制御装置３０の構成の例を示す。制御装置３０は、通信部３１、ユーザインタフェース４０、制御部５０、記憶部６０を備える。通信部３１は送信部３２と受信部３３を有する。制御部５０は、移行指示生成部５１、特定部５２、取得部５３、描画処理部５４、タイマ５５を有する。記憶部６０は、アクセスポイント（ＡＰ）情報データベース６１とグループデータベース６２を記憶し、さらに、適宜、制御部５０の処理に用いられる情報を記憶する。図２の例では、制御装置３０は、ユーザインタフェース４０として、表示デバイス４１と入力装置４２を備えている場合を示しているが、制御装置３０は、任意の種類の出力装置と入力装置を任意の数だけ備えることができる。
【００１５】
受信部３３は、他の装置からパケットを受信する。送信部３２は、他の装置にパケットを送信する。移行指示生成部５１は、受信部３３を介して災害情報の通知を取得すると、開放の対象となるアクセスポイントを選択し、選択したアクセスポイントを開放するための処理を行う。なお、移行指示生成部５１は、アクセスポイントの選択の際に、発生した災害の災害種別、災害の規模、災害の発生場所などの情報を、災害情報から適宜抽出して使用することができる。
【００１６】
特定部５２は、災害の発生によって開放されている状態のアクセスポイントを特定する。取得部５３は、特定部５２で特定されたアクセスポイントから、そのアクセスポイントに接続している端末の数を取得する。描画処理部５４は、取得部５３で得られた結果を表示デバイス４１などに表示する際に使用するための情報を生成する。タイマ５５は、適宜、特定部５２がアクセスポイントの特定する時間間隔や、取得部５３が情報の取得処理を行う時間間隔の測定に使用される。なお、取得部５３は、アクセスポイントが災害の発生により無料開放されていなくても、適宜、ネットワーク中のアクセスポイントへの接続状況の取得など、アクセスポイントの状況を取得するための処理を行っても良い。
【００１７】
ＡＰ情報データベース６１は、制御装置３０が制御するアクセスポイントの情報が含まれている。グループデータベース６２は、１つ以上のアクセスポイントを含むグループの情報を格納する。ＡＰ情報データベース６１とグループデータベース６２の例は後述する。
【００１８】
図３は、制御装置３０のハードウェア構成の例を示す。制御装置３０は、プロセッサ１０１、メモリ１０２、入力装置４２、出力装置１０４、バス１０５、ネットワークインタフェース１０９を備える。制御装置３０は、さらに、記憶装置１０６、可搬記憶媒体駆動装置１０７の１つ以上を有していても良い。プロセッサ１０１は、Central Processing Unit（ＣＰＵ）を含む任意の処理回路であり、メモリ１０２や記憶装置１０６に記憶されたプログラムを実行することができる。プロセッサ１０１は制御部５０を実現する。メモリ１０２は、記憶部６０として動作する。また、ネットワークインタフェース１０９は、通信部３１として動作する。バス１０５は、プロセッサ１０１、メモリ１０２、入力装置４２、出力装置１０４、ネットワークインタフェース１０９を、相互にデータの送受信が可能になるように接続する。
【００１９】
入力装置４２は、キーボードやマウスなど、情報の入力に使用される任意の装置であり、出力装置１０４は、ディスプレイを含む表示デバイス４１など、データの出力に使用される任意の装置である。可搬記憶媒体駆動装置１０７は、メモリ１０２や記憶装置１０６のデータを可搬記憶媒体１０８に出力することができ、また、可搬記憶媒体１０８からプログラムやデータ等を読み出すことができる。ここで、可搬記憶媒体１０８は、Compact Disc Recordable（ＣＤ−Ｒ）やDigital Versatile Disk Recordable（ＤＶＤ−Ｒ）を含む、持ち運びが可能な任意の記憶媒体とすることができる。
【００２０】
＜第１の実施形態＞
以下、１つ以上のアクセスポイントを含むグループごとに統計情報が生成される場合について、グループ登録の方法、アクセスポイントの設定の変更処理、運用中の情報の取得方法、表示処理に分けて説明する。
【００２１】
以下では、災害情報の通知前に各アクセスポイントで使用される第１の識別子は、災害の発生前に各アクセスポイントに設定されているＳＳＩＤである場合を例として説明する。災害情報の通知後の設定で使用される第２の識別子は、災害による無料開放に起因する通信で使用されるＳＳＩＤであるものとする。第２の識別子は、アクセスポイントの無料開放に使用されるＳＳＩＤとしてガイドラインで推奨されている災害用統一ＳＳＩＤ（０００００ＪＡＰＡＮ）であってもよく、また、その他のＳＳＩＤであってもよい。また、以下の説明では、災害情報の通知による設定変更が行われた後の設定のことを「災害設定」と記載することがある。つまり、災害設定は、第２の識別子を用いた通信が可能な設定である。さらに、以下では、アクセスポイント２０の開放のための設定を適用することを、「災害設定を適用する」と記載することがある。
【００２２】
（１）グループ登録の方法の例
オペレータは、統計的なデータをとるために、接続数の合計を取得しようとするアクセスポイント同士が同じグループに含まれるように、災害の発生時に開放するアクセスポイントを、１つ以上のグループに分類する。
【００２３】
図４は、グループ登録の方法の例を説明する図である。図４のＤ１は、アクセスポイントのグループ分けの際に表示される登録画面（グループ登録タブ）の例である。制御装置２０の描画処理部５４は、制御装置３０の起動の際や防災システムの起動の際に、データを収集する対象のアクセスポイントのグループを登録するための登録画面の情報を生成し、表示デバイス４１に出力する。表示デバイス４１は、描画処理部５４から入力された情報を、表示デバイス４１の画面に表示するので、オペレータは、Ｄ１に示す画面を視認できる。
【００２４】
Ｄ１の例では、登録画面には、登録されているグループのグループＩＤとグループ名が一覧表示されている。Ｄ１では、グループＩＤ＝Ｇ１のグループとしてグループ名＝町役場エリアのグループが登録されており、グループＩＤ＝Ｇ２のグループとしてグループ名＝総合体育館エリアのグループが登録されている。なお、登録されるグループの数やグループＩＤ、グループ名は実装に応じて変更され得る。
【００２５】
登録画面には、新規登録ボタン７１、変更ボタン７２、削除ボタン７３、所属機器編集ボタン７４が含まれる。新規登録ボタン７１は、グループの新規登録の際に使用される。新規登録ボタン７１が押下されると、グループ登録ダイアログボックスが表示される。
【００２６】
Ｄ２はグループ登録ダイアログボックスの例である。グループ登録ダイアログボックスには、グループＩＤの入力に使用される入力ボックス７５、グループ名の入力に使用される入力ボックス７６、登録ボタン７７、キャンセルボタン７８が含まれる。オペレータは、入力ボックス７５にグループＩＤ、入力ボックス７６にグループ名を入力した上で、登録ボタン７７を押下する。すると、特定部５２は、グループ登録ダイアログボックスから入力されたグループＩＤとグループ名の組み合わせを取得するとともに、その組み合わせをグループデータベース６２に登録する。さらに、描画処理部５４は、更新後のグループデータベース６２を用いて画面の表示を更新することにより、新たにグループデータベース６２に登録されたグループの情報を、Ｄ１に示す登録画面に表示する。
【００２７】
オペレータは、変更ボタン７２を用いて、登録済みのグループの情報を変更することができる。例えば、オペレータは、登録画面に表示されている各グループの情報から変更対象のグループを、カーソルなどを用いて選択する。選択されたグループは、表示色が変更されるなどの強調表示が行われてもよい。特定部５２は、選択されているグループを特定する。また、描画処理部５４は、いずれかのグループが選択されていることを認識する。いずれかのグループが表示された状態で変更ボタン７２が押下されると、描画処理部５４は、Ｄ２に示すグループ登録ダイアログボックスを表示する。オペレータは、変更後のグループＩＤとグループ名の組み合わせをグループ登録ダイアログボックスに入力したうえで、登録ボタン７７を押下する。すると、特定部５２は、グループデータベース６２において、選択されているグループのグループＩＤとグループ名を、グループ登録ダイアログボックスから入力されたグループＩＤとグループ名の組み合わせに置き換える。その後、描画処理部５４は、更新後のグループデータベース６２を用いて画面の表示を更新することにより、変更後のグループデータベース６２に合わせて、変更後のグループの情報を、Ｄ１に示す登録画面に表示する。
【００２８】
削除ボタン７３は、登録されているグループの削除の際に使用される。オペレータによって、一覧表示されているグループのいずれかが選択されているときに削除ボタン７３が押下されたとする。すると、特定部５２は、選択されているグループの情報をグループデータベース６２から削除する。この場合も、描画処理部５４は、更新後のグループデータベース６２を用いて、削除されたグループの情報を含まない一覧表示を、表示デバイス４１の画面に表示させる。
【００２９】
所属機器編集ボタン７４は、登録されている各グループに含められる機器の編集の際に使用される。オペレータによって、一覧表示されているグループのいずれかが選択されているときに所属機器編集ボタン７４が押下されたとする。すると、描画処理部５４は、登録ダイアログボックスを表示するための情報を生成するとともに、生成した情報を表示デバイス４１の画面に表示させる。
【００３０】
図５は、登録ダイアログボックスの例を示す。登録ダイアログボックスには、ＡＰ情報データベース６１に記録されているアクセスポイントの情報が表示される。図５の例では、各アクセスポイントについて、アクセスポイント名、無線ＬＡＮコントローラのＩＰアドレス、設置場所、プロファイル、アクセスポイントＩＤが記録されている。アクセスポイント名は、アクセスポイントの識別に使用される識別子である。無線ＬＡＮコントローラＩＰは、そのエントリに情報が記録されているアクセスポイントを制御する無線ＬＡＮコントローラに割り当てられているＩＰアドレスである。設置場所は各アクセスポイントの設置場所である。プロファイルは、各アクセスポイントの設定の内容であり、アクセスポイントＩＤはアクセスポイントの識別に使用される。
【００３１】
例えば、図５の例では、アクセスポイント名＝町役場ＡＰ＿１というアクセスポイントは、町役場に設置され、プロファイルは「災害緊急時開放」、アクセスポイントＩＤは「ａｐ１０１＿１」である。なお、以下の説明では、プロファイル＝災害緊急時開放に設定されているアクセスポイントは、災害等の発生に応じて無料開放されるアクセスポイントであるとする。また、アクセスポイント名＝町役場ＡＰ＿１のアクセスポイントを制御する無線ＬＡＮコントローラには、１７２．１６８．１．１というＩＰアドレスが割り当てられている。
【００３２】
同様に、アクセスポイント名＝公民館ＡＰ＿１というアクセスポイントは、公民館に設置され、プロファイルは「災害緊急時開放」、アクセスポイントＩＤは「ａｐ１０２＿１」である。また、アクセスポイント名＝野球場ＡＰ＿１というアクセスポイントは、総合体育館に設置され、プロファイルは「災害緊急時開放」、アクセスポイントＩＤは「ａｐ２０１＿１」である。さらに、公民館ＡＰ＿１と野球場ＡＰ＿１のいずれのアクセスポイントも、１７２．１６８．１．１というＩＰアドレスが割り当てられた無線ＬＡＮコントローラによって制御されている。
【００３３】
なお、図５は一例に過ぎず、実装に応じて、登録ダイアログボックス中の情報要素は変更され得る。例えば、無線ＬＡＮコントローラＩＰの代わりに、個々のアクセスポイントに割り当てられたＩＰアドレスが登録ダイアログボックス中に含まれていても良い。
【００３４】
各アクセスポイントの情報の先頭にはチェックボックスが表示されている。オペレータは、選択中のグループに含める対象のアクセスポイントに対応付けられたチェックボックスにチェックマークを入力した後に登録ボタン７７を押下したとする。すると、特定部５２は、チェックマークが入力されているエントリのアクセスポイントが、選択されているグループに含まれていることを、ＡＰ情報データベース６１に格納する。
【００３５】
図６は、グループデータベース６２とＡＰ情報データベース６１の例を説明する図である。グループデータベース６２は、登録されているグループごとに、番号、グループＩＤ、グループ名を記録する。番号はグループデータベース６２での情報の管理に使用されるインデックス値である。なお、各情報に対して、列名の他に、データ型、制約が登録されても良い。グループデータベース６２の例として、図６では、グループＩＤ＝Ｇ１、グループ名＝町役場エリアの情報を示しているが、グループデータベース６２には、任意の数のグループの情報が含まれている。
【００３６】
ＡＰ情報データベース６１は、登録されているアクセスポイントごとに、番号、時刻、アクセスポイント名（ＡＰ名）、プロファイル名、接続中人数、グループＩＤ、ステータスを記録する。番号はＡＰ情報データベース６１での情報の管理に使用されるインデックス値である。ＡＰ情報データベース６１の接続中人数フィールドには、アクセスポイントに接続している端末の数が接続中人数として記録される。なお、接続中人数は、アクセスポイントかそのアクセスポイントを管理する無線ＬＡＮコントローラのいずれかから、取得部５３が取得する。ＡＰ情報データベース６１の時刻フィールドには、接続中人数の値が取得された時刻が記録される。このため、グループへのアクセスポイントの登録時点では、図６に示すように、時刻フィールドと接続中人数フィールドには情報が含まれていない。グループＩＤは、アクセスポイントが属するグループのＩＤであり、ステータスはアクセスポイントの運用状態である。例えば、町役場ＡＰ＿１が通常運用されているときに、町役場ＡＰ＿１をグループＩＤ＝Ｇ１（町役場エリアグループ）に含めるための処理が行われたとする。この場合、町役場ＡＰ＿１というＡＰ名のアクセスポイントが所属するグループのグループＩＤはＧ１に設定され、アクセスポイントのステータスは通常運用中として記録されている。なお、町役場ＡＰ＿１に設定されているプロファイルは災害緊急時開放であるので、プロファイル名は「災害緊急時開放」に設定される。なお、ＡＰ情報データベース６１には、アクセスポイントに割り当てられたＩＰアドレスや、アクセスポイントの制御に使用される無線ＬＡＮコントローラのＩＰなどが記録されても良い。
【００３７】
（２）アクセスポイントの設定の変更処理
次に、災害等の発生に応じて、１つ以上のアクセスポイントの設定を、制御装置３０から変更する場合の処理の例を説明する。以下、説明を簡単にするために、制御装置３０が直接、アクセスポイントの制御を行う場合を例として説明するが、制御装置３０は、無線ＬＡＮコントローラを介して、間接的にアクセスポイントを制御しても良い。
【００３８】
図７は、アクセスポイントの設定の変更方法の例を示す図である。図７の例では、ネットワークＮ１とネットワークＮ２がＷＡＮ（Wide Area Network）５を介して接続されており、ネットワークＮ１はインターネット６に接続されている。ネットワークＮ１には、制御装置３０とルータ３（３ａ、３ｂ）が含まれている。ネットワークＮ１には、オプションとして、制御装置３０以外の通信装置４（４ａ、４ｂ）が含まれていても良い。ネットワークＮ１、Ｎ２の形成にＳＤＮが使用される場合、制御装置３０は、ＳＤＮコントローラとして動作できるものとする。
【００３９】
ネットワークＮ２は、ルータ３ｃとアクセスポイント２０を含む。アクセスポイント２０は、初期状態では、第１の識別子を用いて通信を行っており、第１の識別子を使用して通信を要求していない端末にはアクセスを許可しないように設定されているものとする。また、端末１５は、アクセスポイント２０で使用されている第１の識別子を保持していないものとする。このため、初期状態では、アクセスポイント２０は端末１５から通信の確立を要求されても、端末１５に対して通信を許可しない。
【００４０】
手順Ｐ１に示すように、制御装置３０は、災害情報発報装置１０と通信する。災害が発生した場合や災害に対する警戒が呼び掛けられる場合、災害情報発報装置１０は、制御装置３０に災害に関する情報を通知する。
【００４１】
手順Ｐ２において、制御装置３０中の移行指示生成部５１は、災害情報発報装置１０から受信したパケットを用いて災害に関する情報を特定すると共に、災害設定の対象となるアクセスポイント２０を特定する。ここで、災害設定が適用されたアクセスポイント２０では、不特定のユーザとの間で、第１の識別子とは異なる第２の識別子を用いて通信が行われるものとする。第２の識別子は、端末１５が予め保持している情報であるか、災害の発生に伴って、端末１５が取得可能な情報であるものとする。例えば、第２の識別子は、災害用統一ＳＳＩＤであっても良い。制御装置３０は、災害設定を適用する対象のアクセスポイント２０を特定すると、災害設定の適用可否を確認する情報を、表示デバイス４１に出力することにより、特定したアクセスポイント２０をオペレータに通知する。
【００４２】
その後、移行指示生成部５１は、入力装置４２などを介して、オペレータから災害設定の適用を要求する情報を取得したとする。この場合、移行指示生成部５１は、災害設定の対象となるアクセスポイント２０を設定するための指示を送出する（手順Ｐ３）。アクセスポイント２０では、手順Ｐ３で受信した指示に基づいて、第２の識別子を用いた通信を行うことができるように設定が行われたとする。
【００４３】
手順Ｐ４において、端末１５は、第２の識別子を用いてアクセスポイント２０に通信の確立を要求する。この時点では、すでにアクセスポイント２０は第２の識別子を用いた通信を行うように設定されているので、端末１５は、アクセスポイント２０を介した通信が可能である。このため、端末１５のユーザは、アクセスポイント２０を介して、ネットワークＮ１中の装置やインターネット６中の装置などと通信できる。図７は、端末１５がインターネット６中の装置と通信する場合を示している。
【００４４】
このように、実施形態にかかる設定変更方法では、オペレータは、災害情報に基づいて開放することが推奨されるアクセスポイント２０の提示を制御装置３０から受けることができる。さらに、提示されたアクセスポイント２０を開放するための変更要求を制御装置３０に入力すると、提示された１つ以上のアクセスポイント２０を開放するための処理を制御装置３０が行う。従って、設定を変更するアクセスポイントの選択や設定の変更が簡便になる。
【００４５】
図８は、アクセスポイントの設定の変更方法の例を示すフローチャートである。ステップＳ１において、移行指示生成部５１は、入力されたパケットから災害情報を含むパケットを選択する。ここで、災害情報発報装置１０は、気象庁防災サーバ、全国瞬時警報システム（Ｊ−Ａｌｅｒｔ）の送信元の装置、災害情報を通知する民間システムのサーバなどである。また、移行指示生成部５１は、災害情報発報装置１０として動作する装置に割り当てられたＩＰ（Internet Protocol）アドレス、災害情報が掲載されたＷｅｂページの情報、メールの送信元などの情報を記憶している。そこで、移行指示生成部５１は、記憶しているアドレスなどの情報を用いて、災害情報を含むパケットを選択し、選択したパケットから災害情報を取得する。移行指示生成部５１は、災害情報から、災害種別、災害の規模、災害の発生場所を抽出する（ステップＳ２）。
【００４６】
その後、移行指示生成部５１は、災害情報に含まれている災害種別、規模、発生場所の組み合わせを用いて、災害設定を適用するアクセスポイント２０を選択する。さらに、移行指示生成部５１は、災害設定で使用されるＳＳＩＤ（第２のＳＳＩＤ）を特定する（ステップＳ３）。なお、第２のＳＳＩＤは、災害設定において、不特定の端末１５とアクセスポイント２０の間の通信に使用される第２の識別子である。
【００４７】
ステップＳ４において、移行指示生成部５１は、選択したアクセスポイント２０のリストをオペレータに提示するために、表示デバイス４１に出力する。なお、これらの処理の際に、移行指示生成部５１は、災害設定の適用対象となるアクセスポイント２０の情報と共に第２のＳＳＩＤを、表示デバイス４１に出力しても良い。
【００４８】
その後、移行指示生成部５１は、オペレータからの変更要求を取得したかを判定する。移行指示生成部５１は、オペレータからの変更要求を取得するまで待機する（ステップＳ５でＮｏ）。変更要求は、入力装置４２などから入力される。移行指示生成部５１は、オペレータからの変更要求を取得すると、選択したアクセスポイント２０の設定を変更するための制御を行う（ステップＳ５でＹｅｓ、ステップＳ６）。
【００４９】
（３）運用中の情報の取得方法
図９は、各アクセスポイント２０への接続人数を取得する方法の例を説明するシーケンス図である。以下、災害設定で使用されるＳＳＩＤで通信している人数を求めるために、制御装置３０とアクセスポイント２０の間で行われる処理の例を説明する。
【００５０】
ループ端Ｌ１とＬ２で挟まれた処理は、制御装置３０中の制御部５０によって定期的に行われる。以下、ループ端Ｌ１とＬ２で挟まれた処理を、説明の都合上、「人数取得ループ」と記載することがある。特定部５２は、人数取得ループの処理を行うタイミングであるかを、適宜、タイマ５５から取得した時刻情報を用いて判定する（ステップＳ１１）。特定部５２は、予め、人数取得ループの処理を行う周期を記憶しており、人数取得ループの処理を行うタイミングになっていない場合、処理を終了する（ステップＳ１１でＮｏ）。一方、人数取得ループの処理を行うタイミングである場合、特定部５２は、ＡＰ情報データベース６１を参照することにより、稼働中のＡＰ情報データベース６１の台数や稼働中の各アクセスポイント２０にアクセスするために使用する情報（アクセスポイント情報）を取得する（ステップＳ１２、Ｓ１３）。なお、アクセスポイント情報には、例えば、アクセスポイント２０に割り当てられたＩＰアドレス等が含まれる。
【００５１】
稼働中のアクセスポイント２０の情報を取得すると、特定部５２と取得部５３は、ループ端Ｌ１１とＬ１２で挟まれた処理を行う。以下、ループ端Ｌ１１とＬ１２で挟まれた処理を、説明の都合上、「装置別取得ループ」と記載することがある。特定部５２は、処理対象のアクセスポイント２０を選択し、選択したアクセスポイント２０が災害などの理由により無料開放中であるかを判定する（ステップＳ１４）。この判定処理により、特定部５２は、無料開放中のアクセスポイント２０を特定している。ここで、特定部５２は、選択したアクセスポイント２０において災害設定が適用されているかを判定することにより、災害設定を要求済みであって、かつ、災害設定が適用中のアクセスポイント２０を、接続数の取得対象として特定している。すなわち、災害設定の適用を要求しても切り替えが失敗しているアクセスポイント２０に対しては、取得部５３の処理対象から除外している。
【００５２】
処理対象のアクセスポイント２０が開放中である場合、取得部５３は、処理対象のアクセスポイント２０に第２の識別子を用いて接続している端末１５の数を、アクセスポイント２０に接続している被災者の人数として要求する（ステップＳ１５）。ここで、第２の識別子は災害設定で使用されるＳＳＩＤである。また、処理対象のアクセスポイント２０に災害設定で使用されるＳＳＩＤを用いて接続している端末１５の数は、処理対象のアクセスポイント２０に接続している被災者の人数の概算値として使用される。換言すると、ステップＳ１５の処理により、取得部５３は、処理対象のアクセスポイント２０に対して、そのアクセスポイント２０にアクセスしている被災者の人数を問い合わせているといえる。アクセスポイント２０は、災害設定で使用されるＳＳＩＤを用いて自装置と通信している端末１５の数（被災者の人数の概算値）を特定する（ステップＳ１６）。アクセスポイント２０は、災害設定で使用されるＳＳＩＤを用いて自装置と通信している端末１５の数を、制御装置３０に送信する（ステップＳ１７）。
【００５３】
取得部５３は、受信部３３を介して、アクセスポイント２０からのパケットを取得する。取得部５３は、取得したパケットから、パケットの送信元のアクセスポイント２０に対して、災害設定で使用されるＳＳＩＤを用いて接続している端末１５の数を取得し、被災者の人数の概算値として特定する。取得部５３は、被災者の人数の概算値を、処理対象のアクセスポイント２０に対応付けて、ＡＰ情報データベース６１に格納する（ステップＳ１８）。記憶部６０は、ＡＰ情報データベース６１への格納処理の結果を取得部５３に通知する（ステップＳ１９）。
【００５４】
一方、処理対象のアクセスポイント２０が開放中ではない場合、取得部５３は、処理対象のアクセスポイント２０への問い合わせを行わない（ステップＳ１４でＮｏ）。その後、特定部５２は、稼働中の全てのアクセスポイント２０に注目したかを判定する（ループ端Ｌ１２）。稼働中の全てのアクセスポイント２０に注目していない場合、特定部５２は、処理対象とするアクセスポイント２０を、処理対象としていないアクセスポイント２０に変更して、ステップＳ１４以降の処理を繰り返す。一方、稼働中の全てのアクセスポイント２０に注目した場合、特定部５２は、装置別取得ループの処理を終了すると共に、人数取得ループの処理も終了する。
【００５５】
なお、図９では、説明を簡単にするために、災害等によって開放されているアクセスポイント２０に対してのみ、接続人数の確認が行われる場合を例として説明したが、開放されていないアクセスポイント２０に対しても接続人数の確認が行われても良い。この場合、取得部５３は、各アクセスポイント２０に対して、接続に使用しているＳＳＩＤ別に接続人数を問合わせる。このため、開放されていないアクセスポイント２０については、本来そのアクセスポイント２０が通信に使用する第１の識別子（第１のＳＳＩＤ）を用いて接続している人数のみを問合わせる。一方、開放中のアクセスポイント２０に対しては、第１の識別子を用いて接続している人数と、災害設定で使用される第２の識別子（第２のＳＳＩＤ）を用いて接続している人数の両方を問合わせる。するとアクセスポイント２０は、ＳＳＩＤ別に、接続している端末１５の数を、各ＳＳＩＤを使用して接続しているユーザ数として、制御装置３０に通知する。
【００５６】
さらに、取得部５３は、各アクセスポイント２０に接続状況を問い合わせる代わりに、無線ＬＡＮコントローラごとに問い合わせを行っても良い。取得部５３が無線ＬＡＮコントローラごとに問い合わせを行う場合、取得部５３は、無線ＬＡＮコントローラに対して、問い合わせの対象となるアクセスポイント２０を識別するための情報を通知する。なお、アクセスポイント２０を通知する情報としては、アクセスポイントＩＤ、アクセスポイント２０に割り当てられたＩＰアドレス、アクセスポイント名などが使用されうる。無線ＬＡＮコントローラは、取得部５３から通知された情報で識別されるアクセスポイント２０から、災害設定で使用されるＳＳＩＤで通信している端末１５の数を取得し、得られた値を制御装置３０に通知する。
【００５７】
図１０は、ＡＰ情報データベース６１の例を説明する図である。図１０は、図９に示す処理などにより、災害設定で使用されるＳＳＩＤを用いてアクセスポイント２０に接続している端末の数が記録されたときのＡＰ情報データベース６１の例である。例えば、制御装置３０が図６に示すＡＰ情報データベース６１を保持しているときに、町役場ＡＰ＿１というアクセスポイント２０においての緊急時運用が開始されたとする。ここで、「緊急時運用」は、通常の運用に加えて、災害などの発生による無料開放が行われていることを表わすものとする。また、緊急時運用中の町役場ＡＰ＿１というアクセスポイント２０から以下の情報が通知されたとする。
アクセスポイント名：町役場ＡＰ＿１
時刻              ：２０１５／７／３０  ７：００
接続中人数        ：３
【００５８】
すると、取得部５３は、町役場ＡＰ＿１から通知されたパケットの情報を用いて、ＡＰ情報データベース６１を、図６の状態から図１０に示すように変更する。
【００５９】
（４）表示処理
次に、ユーザから接続数の表示が要求された場合に行われる表示処理の例を説明する。オペレータが、防災システムのユーザインタフェース中で、管理タブを選択すると、描画処理部５４は、接続数に関する情報の表示が要求されたと判定する。すると、描画処理部５４は、ＡＰ情報データベース６１やグループデータベース６２に記録されている情報を用いて、管理画面を表示するための情報を生成する。
【００６０】
図１１は、管理画面の表示例を説明する図である。グループの設定とグループへの機器の登録が終わった後で、オペレータが図４に示す防災システムの管理タブを選択したとする。管理タブでは、一覧表示とＭＡＰ表示が選択できる。ＭＡＰ表示が選択されている場合、描画処理部５４は、図１などに示すような地図と、各アクセスポイント２０に対応付けたアイコン１を表示するための画像データを生成する。一方、一覧表示が選択される場合、描画処理部５４は、図１１に示すように、防災システム中のアクセスポイントの情報をグループごとに表示するための処理を行う。
【００６１】
ここで、描画処理部５４は、一覧表示が選択された場合は、各アクセスポイント２０の情報をグループごとに表示することが要求されたと判定する。以下、分かりやすくするために、表示結果を参照しながら説明するが、表示結果は、描画処理部５４で生成された情報が表示デバイス４１中の画面に表示されることによって視認される。
【００６２】
図１１は、町役場エリア（グループＩＤ＝Ｇ１）と、総合体育館エリア（グループＩＤ＝Ｇ２）の２つのグループが設定されている場合の表示例である。一覧表示の生成の際に、描画処理部５４は、グループ名とグループＩＤの対応を、グループデータベース６２から取得する。さらに、描画処理部５４は、ＡＰ情報データベース６１を用いて、各グループに含まれるアクセスポイント２０を特定する。図１１の例では、町役場エリアのグループには、町役場ＡＰ＿１、公民館ＡＰ＿１、公民館ＡＰ＿２が含まれており、総合体育館エリアのグループには、野球場ＡＰ＿１、野球場ＡＰ＿２、屋内ジムＡＰ＿１が含まれている。また、薙刀場ＡＰというアクセスポイント名のアクセスポイント２０は、いずれのグループにも属していない。
【００６３】
一覧表示では、各アクセスポイント２０の情報がグループごとに確認できるように表示されている。さらに、描画処理部５４は、システム中のアクセスポイント２０に関する情報を、ＡＰ情報データベース６１から取得する。図１１の例では、ＡＰ情報データベース６１には、アクセスポイント２０ごとに、アクセスポイント名、無線ＬＡＮコントローラのＩＰアドレス、設置場所、プロファイル、アクセスポイントＩＤ、ステータス、接続中人数が記録されているとする。なお、無線ＬＡＮコントローラのＩＰアドレスは、エントリ中のアクセスポイント２０を制御する無線ＬＡＮコントローラに割り当てられたＩＰアドレスである。
【００６４】
接続中人数は、そのエントリのアクセスポイント２０に対して、災害設定で使用されるＳＳＩＤを用いて接続している端末１５の数である。図９において、ループ端Ｌ１１とＬ１２で挟まれた処理（装置別取得ループ）を参照しながら説明したように、取得部５３は、特定部５２が緊急時運用中であると判定したアクセスポイント２０について、災害設定で使用されるＳＳＩＤによる接続数を取得する。このため、接続中人数は、緊急時運用中のアクセスポイント２０については有効値が得られるが、通常運用中のアクセスポイント２０については、無効値となる。図１１では、野球場ＡＰ＿１、野球場ＡＰ＿２、屋内ジムＡＰ＿１は、いずれも通常運用中であるため、災害設定で使用されるＳＳＩＤを用いた接続処理を行わない。このため、野球場ＡＰ＿１、野球場ＡＰ＿２、屋内ジムＡＰ＿１においては、接続中人数は、無効値（ＳＳＩＤ無効化中）となっている。
【００６５】
描画処理部５４は、グループごとに、接続中人数の合計値も計算して、合計値を表示する。図１１の例では、町役場ＡＰ＿１に対して災害設定で使用されるＳＳＩＤを用いて接続している端末１５が１５台であることから、町役場ＡＰ＿１を介して通信している被災者は１５人と推定される。同様に、公民館ＡＰ＿１に対して災害設定で使用されるＳＳＩＤを用いて接続している端末１５が１０台であることから、公民館ＡＰ＿１を介して通信している被災者は１０人と推定される。また、公民館ＡＰ＿２に対して災害設定で使用されるＳＳＩＤを用いて接続している端末１５が５台であることから、公民館ＡＰ＿１を介して通信している被災者は５人と推定される。描画処理部５４は、町役場エリアのアクセスポイント２０を使用している被災者を、町役場ＡＰ＿１、公民館ＡＰ＿１、公民館ＡＰ＿２の各々での接続人数の合計とする。すなわち、１５＋１０＋５＝３０人が町役場エリアの被災者であることを、合計値として表示する。
【００６６】
一方、薙刀場ＡＰのように、いずれのグループにも所属していないアクセスポイント２０については、描画処理部５４は、統計情報が要求されていないと判定する。このため、描画処理部５４は、いずれのグループにも属していないアクセスポイント２０については、緊急時運用中の場合は接続中人数を表示するが合計値を表示しないように、表示情報を生成する。
【００６７】
なお、一覧表示の際に表示される画面には、表示されている各アクセスポイント２０に対する処理を行うための選択ボタンも含まれても良い。図１１の例では、緊急時運用開始ボタン８１ａ、緊急時運用停止ボタン８２ａ、緊急時運用開始ボタン８１ｂ、緊急時運用停止ボタン８２ｂが含まれている。緊急時運用開始ボタン８１ａは、システム中の全てのアクセスポイント２０を緊急時運用に設定することにより、災害設定で使用されるＳＳＩＤを用いた接続の要求をシステム中の全アクセスポイント２０で許可する際に使用される。一方、緊急時運用停止ボタン８２ａは、システム中の全てのアクセスポイント２０を通常運用に設定することにより、災害設定で使用されるＳＳＩＤを用いた接続の要求をシステム中の全アクセスポイント２０で禁止する際に使用される。緊急時運用開始ボタン８１ｂは、アクセスポイント名の先頭に設定されたチェックボックスで選択したアクセスポイント２０を緊急時運用に設定する際に使用される。一方、緊急時運用停止ボタン８２ａは、アクセスポイント名の先頭に設定されたチェックボックスで選択したアクセスポイント２０を通常運用に設定する際に使用される。
【００６８】
また、図１１に示すように、管理画面には、適宜、システムログが表示されても良い。システムログには、トラップ種別、トラップ発生日時、トラップ内容が含まれている。トラップ種別には、発生した処理が自動処理で行われたか、オペレータの手動処理により行われたかが記録される。また、トラップの内容には、ステータスの変更が試みられたアクセスポイント２０を特定する情報と、ステータスの変更が行われたかを示す情報などが記録される。
【００６９】
図１２Ａと図１２Ｂは、表示要求に応じて行われる処理の例を説明するシーケンス図である。なお、図１２Ａと図１２Ｂで説明する処理は一例であり、例えば、ステップＳ３３とＳ４６の処理が省略されるなど、実装に応じて、処理が変更されても良い。
【００７０】
グループの設定とグループへの機器の登録が終わった後で、オペレータが統計情報の表示要求を、制御装置３０の入力装置４２から入力したとする（ステップＳ３１）。入力装置４２は入力された情報を描画処理部５４に出力し、描画処理部５４は、オペレータから統計情報が要求されたと判定する（ステップＳ３２）。一方、ユーザインタフェース４０では、オペレータからの誤操作などを防止するために、画面のマスキング処理を行う（ステップＳ３３）。
【００７１】
描画処理部５４は、グループ単位での統計情報の表示が要求されているかを判定する（ステップＳ３４）。例えば、図１１を参照しながら説明した例では、描画処理部５４は、管理タブの一覧表示が要求された場合には、グループ単位での統計情報の表示が要求されていると判定する。グループ単位での統計情報の表示が要求されている場合、描画処理部５４は、グループデータベース６２からグループ情報を読み出す（ステップＳ３５、Ｓ３６）。描画処理部５４は、グループ情報のデータを用いて、各グループに含まれているアクセスポイント２０を特定する（ステップＳ３７）。描画処理部５４は、表示するアクセスポイントのリストをグループごとに生成する（ステップＳ３８）。
【００７２】
例えば、図１１に示すように、グループが設定されているとする。この場合、描画処理部５４は、町役場エリアグループの表示アクセスポイントリストには、町役場ＡＰ＿１、公民館ＡＰ＿１、公民館ＡＰ＿２を含める。一方、総合体育館エリアの表示アクセスポイントリストとして、描画処理部５４は、野球場ＡＰ＿１、野球場ＡＰ＿２、屋内ジムＡＰ＿１を含める。一方、描画処理部５４は、薙刀場ＡＰをいずれのグループにも含めない。なお、表示アクセスポイントリストは、描画処理部５４において、図１１に示すようなグループ単位の表示を行うための情報を生成するためのリストとして使用される。
【００７３】
一方、ステップＳ３４において、グループ単位での統計情報の表示が要求されていないと判定された場合、描画処理部５４は、画面表示されているカーソルなどを用いて選択されているアクセスポイント２０を特定する（ステップＳ３４でＮｏ）。描画処理部５４は、描画処理部５４が特定したアクセスポイント２０を、情報の取得が要求されたアクセスポイント２０として、表示アクセスポイントリストに含める（ステップＳ３９）。表示アクセスポイントリストが生成されると、描画処理部５４は、表示アクセスポイントに含まれている各アクセスポイント２０についてのデータを、ＡＰ情報データベース６１から取得する（ステップＳ４０、Ｓ４１）。
【００７４】
ループ端Ｌ２１とＬ２２で挟まれた処理は、描画処理部５４によって定期的に行われる。以下、ループ端Ｌ２１とＬ２２で挟まれた処理を、説明の都合上、「統計処理ループ」と記載することがある。描画処理部５４は、表示アクセスポイントリスト中のアクセスポイント２０を選択し、選択したアクセスポイント２０に対応付けられた接続中人数を合計値に加算する（ステップＳ４２）。ここで、接続中人数は、選択されたアクセスポイント２０に対して、災害設定用のＳＳＩＤでアクセスしている端末１５の数である。描画処理部５４は、得られた合計値を用いて、統計情報を更新する（ステップＳ４３）。ここで、統計情報は、グループごとの接続人数の合計値と、グループ内の各アクセスポイント２０での接続中人数の組み合わせである。その後、描画処理部５４は、表示アクセスポイントリスト中の全てのアクセスポイント２０に注目したかを判定する（ループ端Ｌ２２）。表示アクセスポイントリスト中の全てのアクセスポイント２０に注目していない場合、描画処理部５４は、未選択のアクセスポイント２０を選択して、ステップＳ４２以降の処理を繰り返す。一方、表示アクセスポイントリスト中の全てのアクセスポイント２０に注目した場合、描画処理部５４は、統計処理ループの処理を終了する。
【００７５】
描画処理部５４は、統計処理ループで得られた統計情報やステップＳ４０、Ｓ４１などでＡＰ情報データベース６１から取得した情報を含めて、表示デバイス４１の画面への表示画面情報を生成する（ステップＳ４４）。ここで、表示画面情報は、例えば、図１１に示すような表示を行うための情報である。描画処理部５４は、生成した表示画面情報を表示デバイス４１に出力する（ステップＳ４５）。
【００７６】
表示デバイス４１は、描画処理部５４から表示画面情報を取得すると、画面のマスキングを解除する（ステップＳ４６）。さらに、表示デバイス４１は、画面に、統計情報を含む表示画面情報を表示する（ステップＳ４７）。
【００７７】
このように、第１の実施形態にかかるシステムでは、グループごとにアクセスポイント２０への接続を行っている端末数の統計情報を表示できるため、効率的に接続数の統計結果が得られる。また、アクセスポイント２０への接続数は、アクセスポイント２０の設置位置に位置する被災者の数の概算に使用可能であるので、第１の実施形態では、被災者の支援計画などに結びつく情報を迅速かつ正確に取得することができるといえる。さらに、第１の実施形態にかかるシステムを用いて、複数のアクセスポイントの設定の切り替えを並行して行うことができるので、災害時に使用されるＳＳＩＤを用いた通信を許可するための設定への切り替えも迅速に行われる。
【００７８】
＜第２の実施形態＞
第２の実施形態では、特定のアクセスポイント２０に接続中の端末１５の数の経時変化を簡便に取得するための方法について説明する。第２の実施形態においても、アクセスポイントの設定の変更処理と運用中の情報の取得方法は、第１の実施形態と同様である。また、グループ設定が行われる場合、第２の実施形態でのグループ登録の方法も第１の実施形態と同様である。なお、第２の実施形態では、ＡＰ情報データベース６１には、各アクセスポイント２０について、災害設定での通信に使用されるＳＳＩＤを用いて接続している接続数とその接続数が得られた時刻の組合せが記録されている。
【００７９】
第２の実施形態にかかる防災システムのユーザインタフェース中の管理タブは、統計情報の表示対象を選択するためのＧＵＩと、表示方法をグラフ表示とテーブル表示のいずれかに設定するためのＧＵＩを含む。
【００８０】
図１３は、アクセスポイント２０への接続数の時間変化の表示例を説明する図である。図１３の例では、リストボックス８５で表示対象のアクセスポイント２０が選択され、グラフ表示とテーブル表示がラジオボタン８６で選択される。図１３は、町役場ＡＰ＿１がリストボックス８５によって指定されており、かつ、テーブル表示がラジオボタン８６で選択されている場合の表示例を示している。なお、図１３では、災害用統一ＳＳＩＤ（０００００ＪＡＰＡＮ）を用いて接続している端末の数の経時変化が示されているが、災害設定で使用される識別子は災害用統一ＳＳＩＤ以外でも良い。
【００８１】
描画処理部５４は、リストボックス８５によって、システム中のアクセスポイント２０が選択されると、選択されたアクセスポイント２０について、所定期間の接続数の情報の表示が要求されたと判定する。そこで、描画処理部５４は、所定期間に得られた接続数と時刻の組み合わせをＡＰ情報データベース６１から取得する。テーブル表示がラジオボタン８６で選択されている場合、描画処理部５４は、ＡＰ情報データベース６１から取得した情報の組み合わせを、時系列に添ってテーブル状に配置するための表示画面情報を生成し、表示デバイス４１に出力する。表示デバイス４１の画面に表示画面情報に対応する表示が行われることにより、図１３に示す表示が得られる。なお、所定期間は、予め設定されていても良く、また、ＡＰ情報データベース６１に記録されている全ての期間に設定されても良い。
【００８２】
一方、グラフ表示がラジオボタン８６で選択されている場合、描画処理部５４は、ＡＰ情報データベース６１から取得した情報の組み合わせをグラフに表示した表示画面情報を生成する。以下の説明では、時刻を横軸、接続数（接続人数）を縦軸に表わしたグラフを含む表示画面情報が生成される。
【００８３】
図１４は、アクセスポイントへの接続数の時間変化の表示例を説明する図である。図１４のグラフには、図１３に示したテーブル表示に使用されたデータと、その後の接続数の時間変化も含まれている。
【００８４】
第２の実施形態では、特定のアクセスポイント２０への接続数の経時変化をテーブルやグラフで表示できるため、効率的に接続数の統計結果が得られる。また、オペレータは、特定のアクセスポイント２０への被災者のアクセス状況を容易に予測できるため、被災者の支援計画などに結びつく情報を迅速かつ正確に取得することができる。
【００８５】
＜その他＞
なお、実施形態は上記に限られるものではなく、様々に変形可能である。以下にその例をいくつか述べる。
【００８６】
図１５は、ＭＡＰ表示の例を説明する図である。ＭＡＰ表示において、画面中に示されている領域中に設置されたアクセスポイント２０の各々に対応付けて、アイコン１ａ〜１ｆが表示されている。このとき、例えば、オペレータが、アイコン１ａをマウスカーソル７で選択したとする。すると、描画処理部５４は、選択されたアイコン１ａに対応付けられたアクセスポイント２０を特定する。図１５の例では、アイコン１ａは、町役場ＡＰ＿１を示しているとする。この場合、描画処理部５４は、アイコン１ａが選択されたことによって、町役場ＡＰ＿１についての接続数の経時変化が要求されたと判定して、図１３や図１４に示すような画面を表示させるための処理を行っても良い。
【００８７】
さらに、図１５において、アイコン１ａが選択されたとき、描画処理部５４は、アイコン１ａに対応付けられている町役場ＡＰ＿１を含むグループの情報が要求されたと判定しても良い。この場合、描画処理部５４は、ＡＰ情報データベース６１の町役場ＡＰ＿１に対するエントリを用いて、町役場ＡＰ＿１がグループＩＤ＝Ｇ１のグループに含まれていることを特定する。さらに、グループデータベース６２を用いて、グループＩＤ＝Ｇ１のグループが町役場エリアのグループであることも特定する。すると、第１の実施形態で説明した手順と同様の処理により、図１１を参照しながら説明した画面のうちの町役場エリアのグループを表示するための処理が行われる。
【００８８】
図１３と図１４を参照しながら、特定のアクセスポイント２０への接続数の経時変化が表示される場合について説明したが、経時変化の表示対象として特定のグループが選択されても良い。例えば、統計情報表示装置名の選択に使用されるリストボックス８５によって、グループデータベース６２中のグループが選択できるように設定され得る。グループが経時変化の表示対象として選択された場合、描画処理部５４は、選択されているグループに含まれている全てのアクセスポイント２０での接続数を取得し、時刻ごとに合計値を求める。描画処理部５４は、グラフ表示又はテーブル表示において、災害設定での通信に使用されるＳＳＩＤを用いて通信している端末の接続数のグループ内のアクセスポイント２０での合計値を、時刻情報に対応付けて表示するための画面表示情報を生成する。
【００８９】
なお、図１５で特定のアイコン１が選択されたときに、そのアイコンに対応付けられたアクセスポイント２０を含むグループについての接続数の経時変化が要求されたと認識するように、描画処理部５４が設計されても良い。この場合、例えば、アイコン１ａが選択されたことによって、町役場エリアのグループに含まれるアクセスポイント２０での接続数の合計の経時変化が、グラフやテーブルとして表示される。
【００９０】
さらに、以上の説明で使用したデータベースやグラフィカルユーザインタフェースは一例であり、これらに含まれる情報要素は、実装に応じて変更され得る。また、以上の説明では、制御装置３０の表示デバイス４１において表示処理が行われる場合を例としたが、一覧表示や接続数の時間変化など統計情報を含む表示画面やグラフィカルユーザインタフェースは、制御装置３０以外の装置の画面に表示されても良い。この場合、制御装置３０は、描画処理部５４で生成された描画情報を、表示画面やグラフィカルユーザインタフェースを表示する装置に送信する。さらに、表示画面やグラフィカルユーザインタフェースの表示のタイミング等も実装に応じて変更され得る。例えば、図４に示すグループの登録画面は、制御装置３０や防災システムの起動時の他に、登録した条件の変更の際や新たな条件の設定の際にも表示されうる。
【００９１】
さらに、第１の実施形態と第２の実施形態の両方を実現するシステムが使用されても良い。この場合、オペレータが操作しやすくするために、第１の実施形態で説明したように、一覧表示が行われるタブと、第２の実施形態のように経時変化が観測できるタブが個別にシステムに含まれても良い。例えば、オペレータが一覧表示のタブを選択すると、第１の実施形態と同様の処理により、図１１を参照しながら説明したような一覧表示画面が得られる。同様に、オペレータが経時変化を参照するためのタブを選択すると、描画処理部５４は、接続数の経時変化の表示が要求されたと判定して、処理を行う。このため、経時変化を参照するためのタブの選択により、第２の実施形態で説明したような経時変化を表示する画面が表示される。
【００９２】
さらに、第１の実施形態においても、第２の実施形態の図１３などに示すリストボックスなどの選択用のＧＵＩに、グループが選択可能な選択肢として表示されるように変形されても良い。この場合、リストボックスで選択されたグループに属するアクセスポイント２０への接続数とその合計値が表示される。
【００９３】
上述の第１および第２の実施形態を含む実施形態に関し、以下の付記を開示する。
（付記１）
１つ以上のアクセスポイントを制御する制御装置で実行されるプログラムであって、
災害情報を取得すると、前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信し、
前記災害設定が有効になっているアクセスポイントを特定し、
特定したアクセスポイントの各々から、前記第２の識別子を用いて当該アクセスポイントに接続している端末の接続数を取得し、
表示要求を取得すると、当該表示要求により要求された表示方法に対応して選択した範囲の前記接続数を、前記表示要求の要求元へ提供する
処理を前記制御装置に実行させることを特徴とする表示プログラム。
（付記２）
前記制御装置は、１つ以上のアクセスポイントのグループへの所属状況を特定するグループ情報を記憶しており、
前記提供する処理は、前記グループ情報を参照して当該グループに属するアクセスポイントから前記範囲を特定し、
特定したアクセスポイントで得られた接続数と前記グループの情報を関連付けて前記要求元に提供する
処理を前記制御装置に実行させることを特徴とする付記１に記載の表示プログラム。
（付記３）
前記グループ情報に記憶されたグループを選択肢として選択可能に表示する選択領域を前記要求元に表示し、
前記選択領域で選択された選択グループの情報が入力されると、前記選択グループに属するアクセスポイントでの接続数を特定し、
前記選択グループに属するアクセスポイントでの接続数を前記要求元に提供する
処理を前記制御装置に実行させることを特徴とする付記２に記載の表示プログラム。
（付記４）
前記災害設定が有効になっているアクセスポイントから、当該アクセスポイントでの前記接続数を複数回にわたって取得すると共に、取得した接続数を、前記接続数を取得した時刻に対応付けて記憶し、
前記接続数の時間変化を表わす表示の要求を取得すると、所定の期間の情報が表示対象として選択されたと判定し、
前記所定の期間に含まれる時刻に取得された接続数を、当該接続数が得られた時刻、および、当該接続数が得られたアクセスポイントと対応付けて前記要求元に提供する
処理を前記制御装置に実行させることを特徴とする付記１〜３のいずれか１項に記載の表示プログラム。
（付記５）
１つ以上のアクセスポイントを制御する制御装置であって、
災害情報を受信する受信部と、
前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信する送信部と、
前記災害設定が有効になっているアクセスポイントを特定する特定部と、
特定したアクセスポイントの各々から、前記第２の識別子を用いて当該アクセスポイントに接続している端末の接続数を取得する取得部と、
表示要求を取得すると、当該表示要求により要求された表示方法に対応して選択された範囲の前記接続数を、表示装置に表示させる表示部
を備えることを特徴とする制御装置。
（付記６）
前記制御装置は、
１つ以上のアクセスポイントのグループへの所属状況を特定するグループ情報を記憶する記憶部と、
前記提供する処理は、前記グループ情報を参照して当該グループに属するアクセスポイントから前記範囲を特定し、
特定したアクセスポイントで得られた接続数と前記グループの情報を関連付けた表示情報を描画する描画処理部
をさらに備え、
前記表示部は前記表示情報を前記表示装置に表示させる
ことを特徴とする付記５に記載の制御装置。
（付記７）
前記表示部は、前記グループ情報に記憶されたグループを選択肢として選択可能に表示する選択領域を前記要求元に表示し、
前記描画処理部は、
前記選択領域で選択された選択グループの情報が入力されると、前記選択グループに属するアクセスポイントでの接続数を特定し、
前記選択グループに属するアクセスポイントでの接続数を表示するための描画情報を描画し
前記表示部は、前記描画情報を前記表示装置に表示させる
ことを特徴とする付記６に記載の制御装置。
（付記８）
前記取得部は、前記災害設定が有効になっているアクセスポイントから、当該アクセスポイントでの前記接続数を複数回にわたって取得し、
前記記憶部は、取得した接続数を、前記接続数が取得された時刻に対応付けて記憶し、
前記描画処理部は、
前記接続数の時間変化を表わす表示の要求を取得すると、所定の期間の情報が表示対象として選択されたと判定し、
前記所定の期間に含まれる時刻に取得された接続数を、当該接続数が得られた時刻、および、当該接続数が得られたアクセスポイントと対応付けて描画し、前記表示装置に表示させる
ことを特徴とする付記６に記載の制御装置。
（付記９）
１つ以上のアクセスポイントを制御する制御装置が、
災害情報を取得すると、前記災害情報に基づいて、設定を変更するアクセスポイントを特定するとともに、当該アクセスポイントに対する設定変更により、通信を許可している第１の識別子とは異なる第２の識別子を用いた通信を許可する災害設定への移行を指示する移行指示を送信し、
前記災害設定が有効になっているアクセスポイントを特定し、
特定したアクセスポイントの各々から、当該アクセスポイントに前記第２の識別子を用いて接続している端末の接続数を取得し、
表示要求を取得すると、当該表示要求により要求された表示方法に対応して選択した範囲の前記接続数を、前記表示要求の要求元へ提供する
処理を行うことを特徴とする表示方法。
（付記１０）
前記制御装置は、
１つ以上のアクセスポイントのグループへの所属状況を特定するグループ情報を記憶しており、
前記提供する処理は、前記グループ情報を参照して当該グループに属するアクセスポイントから前記範囲を特定し、
特定したアクセスポイントで得られた接続数と前記グループの情報を関連付けて前記要求元に提供する
ことを特徴とする付記９に記載の表示方法。
（付記１１）
前記グループ情報に記憶されたグループを選択肢として選択可能に表示する選択領域を前記要求元に表示し、
前記選択領域で選択された選択グループの情報が入力されると、前記選択グループに属するアクセスポイントでの接続数を特定し、
前記選択グループに属するアクセスポイントでの接続数を前記要求元に提供する
処理を前記制御装置がさらに行うことを特徴とする付記１０に記載の表示方法。
（付記１２）
前記災害設定が有効になっているアクセスポイントから、当該アクセスポイントでの前記接続数を複数回にわたって取得すると共に、取得した接続数を、前記接続数を取得した時刻に対応付けて記憶し、
前記接続数の時間変化を表わす表示の要求を取得すると、所定の期間の情報が表示対象として選択されたと判定し、
前記所定の期間に含まれる時刻に取得された接続数を、当該接続数が得られた時刻、および、当該接続数が得られたアクセスポイントと対応付けて前記要求元に提供する
処理を前記制御装置が行うことを特徴とする付記９〜１１のいずれか１項に記載の表示方法。
【符号の説明】
【００９４】
１  アイコン
３  ルータ
４  通信装置
５  ＷＡＮ
６  インターネット
７  マウスカーソル
１０  災害情報発報装置
１５  端末
２０  アクセスポイント
３０  制御装置
３１  通信部
３２  送信部
３３  受信部
４０  ユーザインタフェース
４１  表示デバイス
４２  入力装置
５０  制御部
５１  移行指示生成部
５２  特定部
５３  取得部
５４  描画処理部
５５  タイマ
６０  記憶部
６１  ＡＰ情報データベース
６２  グループデータベース
１０１  プロセッサ
１０２  メモリ
１０４  出力装置
１０５  バス
１０６  記憶装置
１０７  可搬記憶媒体駆動装置
１０８  可搬記憶媒体
１０９  ネットワークインタフェース
【図１】
0006471646.tif 000002
【図２】
0006471646.tif 000003
【図３】
0006471646.tif 000004
【図４】
0006471646.tif 000005
【図５】
0006471646.tif 000006
【図６】
0006471646.tif 000007
【図７】
0006471646.tif 000008
【図８】
0006471646.tif 000009
【図９】
0006471646.tif 000010
【図１０】
0006471646.tif 000011
【図１１】
0006471646.tif 000012
【図１２Ａ】
0006471646.tif 000013
【図１２Ｂ】
0006471646.tif 000014
【図１３】
0006471646.tif 000015
【図１４】
0006471646.tif 000016
【図１５】
0006471646.tif 000017